(57)【要約】【課題】  複数の記録装置を使用してリビルド処理や整合性チェックを行うことができ、且つ状況に応じて消費電力を抑制する情報記録装置を提供する。【解決手段】  ディスクアレイに対してリビルド処理を行う際に（ステップ３１０のＹｅｓ）、電源供給源を確認する（ステップ３０２）。このとき、バッテリ使用時には（ステップ３０２のＹｅｓ）、ユーザの設定に基づき、リビルド処理の実行を行わないようにすることができる（ステップ３０４のＮｏ）。また、バッテリの残容量を調べ（ステップ３０５）、この残量に基づいてこのリビルド処理の実効レートを変化させる（ステップ３０７、ステップ３０８）。尚、整合性チェックに対しても同様の処理を行う。【選択図】      図３
2006221335.tif 000002
【特許請求の範囲】
【請求項１】
複数の記録装置を並列配置して論理的に単一の記録装置を構築する情報記録装置において、
前記複数の記録装置に電力を供給する電力供給手段と、
前記複数の記録装置の内の任意の記録装置上のデータを他の記録装置上のデータを用いて再構築する制御手段と、
前記電力供給手段の種類に基づいて前記制御手段を省電力制御する省電力手段と
を備えることを特徴とする情報記録装置。
【請求項２】
前記省電力手段は、前記電力供給手段がバッテリである場合に、前記制御手段による前記再構築を禁止すること
を特徴とする請求項１記載の情報記録装置。
【請求項３】
請求項２記載の情報記録装置において、
前記電力供給手段がバッテリである場合に、前記制御手段による前記再構築を前記省電力手段により禁止させるか否かを設定する設定手段
をさらに備えることを特徴とする情報記録装置。
【請求項４】
請求項１記載の情報記録装置において、
前記電力供給手段であるバッテリの残容量を調べる残容量算出手段をさらに備え、
前記省電力手段は、前記電力供給手段が前記バッテリである場合に、前記残容量算出手段が算出する前記バッテリの残容量に基づいて前記制御手段を制御すること
を特徴とする情報記録装置。
【請求項５】
前記省電力手段は、前記制御手段の前記再構築にかかる前記制御手段の制御の優先順位を前記バッテリの残容量に基づいて定めること
を特徴とする請求項４記載の情報処理装置。
【請求項６】
複数の記録装置を並列配置して論理的に単一の記録装置を構築する情報記録装置において、
前記複数の記録装置に電力を供給する電力供給手段と、
前記複数の記録装置間のデータの整合性の確認を行う制御手段と、
前記電力供給手段の種類に基づいて前記制御手段を省電力制御する省電力手段と
を備えることを特徴とする情報記録装置。
【請求項７】
前記省電力手段は、前記電力供給手段がバッテリである場合に、前記制御手段による前記整合性の確認を禁止すること
を特徴とする請求項６記載の情報記録装置。
【請求項８】
請求項７記載の情報記録装置において、
前記電力供給手段が前記電力供給手段をバッテリとする所定の時間帯を記憶する記憶手段
をさらに備え、
前記制御手段は、前記整合性確認手段により前記整合性の確認を開始する開始時刻を前記所定の時間帯以外の時間帯とすること
を特徴とする情報記録装置。
【請求項９】
請求項７記載の情報記録装置において、
前記電力供給手段がバッテリである場合に、前記制御手段による前記整合性の確認を前記省電力手段により禁止させるか否かを設定する設定手段
をさらに備えることを特徴とする情報記録装置。
【請求項１０】
請求項６記載の情報記録装置において、
前記電力供給手段であるバッテリの残容量を調べる残容量算出手段をさらに備え、
前記省電力手段は、前記電力供給手段が前記バッテリである場合に、前記残容量算出手段が算出する前記バッテリの残容量に基づいて前記制御手段を制御すること
を特徴とする情報記録装置。
【請求項１１】
前記省電力手段は、前記制御手段の前記整合性の確認にかかる前記制御手段の制御の優先順位を前記バッテリの残容量に基づいて定めること
を特徴とする請求項１０記載の情報記録装置。
【発明の詳細な説明】
【技術分野】
【０００１】
本発明は、例えばＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）が構築されたコンピュータ等の、複数の記録装置を並列的に動作させる情報記録装置に関する。
【背景技術】
【０００２】
コンピュータシステムではＨＤＤ（Ｈａｒｄ  Ｄｉｓｋ  Ｄｒｉｖｅ）等の記録装置に対し高速なアクセスと信頼性を高める技術としてＲＡＩＤ技術がある。ＲＡＩＤとはＨＤＤを複数台使用して高速化やデータの冗長性による信頼性の向上を目的とした技術であり、ＲＡＩＤ０、ＲＡＩＤ１、ＲＡＩＤ５等いくつかの種類が定義されている。
【０００３】
特にＲＡＩＤ１やＲＡＩＤ５等はデータの冗長性を有し、ＲＡＩＤを構成しているＨＤＤが１台故障しても、正常な残りのＨＤＤから、故障したＨＤＤ内に格納されていたデータを算出して生成することができる技術である。通常このようなシステムでＨＤＤが１台故障した場合には、故障したＨＤＤを新しいものに交換した後、正常な残りのＨＤＤのデータを順次読み込み、故障したＨＤＤ内に格納すべきデータを算出生成し、交換したＨＤＤの全てのアドレスで指定されるセクタ内に書き込む処理（再構築、以下リビルド処理と呼ぶ）を実施することで、故障したＨＤＤのデータを復旧することができる（例えば、特許文献１参照）。
【０００４】
また、ＲＡＩＤ１やＲＡＩＤ５等は先述の通りデータの冗長性を有しているが、それらのデータ間での整合性を維持する必要がある。この整合性が維持できなければ、先述のリビルド処理も正常に行うことができない可能性がある。よって、ＲＡＩＤ１やＲＡＩＤ５等のデータの冗長性を持つシステムでは、定期的に整合性の確認（以下整合性チェックと呼ぶ）を行うのが一般的である。
【０００５】
ＲＡＩＤはサーバ等で広く用いられている（例えば、特許文献１参照）が、近年、例えばノートＰＣ（Ｐｅｒｓｏｎａｌ  Ｃｏｍｐｕｔｅｒ）等の携帯可能な機器（以下、携帯型機器と呼ぶ）にＲＡＩＤを適用することが考えられている。このような携帯可能な機器では、持ち運びにかかる振動などでＨＤＤが故障することがあるため、ＲＡＩＤを適用することにより、信頼性を向上させることが可能となる。
【０００６】
【特許文献１】特開２００４−０３８２９０号公報
【発明の開示】
【発明が解決しようとする課題】
【０００７】
先述のような携帯型機器は、通常バッテリで駆動させることが可能である。しかしながら、先述のリビルド処理や整合性チェックは時間のかかる、電力消費の大きな処理であるため、このような携帯型機器に先述のＲＡＩＤを適用すると、リビルド処理や整合性チェックに消費電力が割かれ、結果として動作時間が短くなる可能性がある。
【０００８】
また、特許文献１に開示された計算機は、電池を搭載しているもののあくまで外部電源からの電源供給が主であることを前提としており、電池を主電源とする場合については考慮されていない。
【０００９】
そこで本発明は、複数の記録装置を使用してリビルド処理や整合性チェックを行うことができ、且つ状況に応じて消費電力を抑制する情報記録装置を提供することを目的とする。
【課題を解決するための手段】
【００１０】
上記目的を達成するために、請求項１記載の情報記録装置は、複数の記録装置を並列配置して論理的に単一の記録装置を構築する情報記録装置において、前記複数の記録装置に電力を供給する電力供給手段と、前記複数の記録装置の内の任意の記録装置上のデータを他の記録装置上のデータを用いて再構築する制御手段と、前記電力供給手段の種類に基づいて前記制御手段を省電力制御する省電力手段とを備えることを特徴とする。
【００１１】
請求項６記載の情報記録装置は、複数の記録装置を並列配置して論理的に単一の記録装置を構築する情報記録装置において、前記複数の記録装置に電力を供給する電力供給手段と、前記複数の記録装置間のデータの整合性の確認を行う制御手段と、前記電力供給手段の種類に基づいて前記制御手段を省電力制御する省電力手段とを備えることを特徴とする。
【発明の効果】
【００１２】
本発明によれば、複数の記録装置を使用してリビルド処理や整合性チェックを行うことができ、且つ状況に応じて消費電力を抑制する情報記録装置を提供することができる。
【発明を実施するための最良の形態】
【００１３】
以下、本発明の情報記録装置について、図面を参照しながら説明する。
【実施例１】
【００１４】
図１は、本発明の実施例にかかるノートＰＣ（情報記録装置）の構成を示す図である。図１に示すように、ノートＰＣ１０は、ＣＰＵ（Ｃｅｎｔｒａｌ  Ｐｒｏｃｅｓｓｉｎｇ  Ｕｎｉｔ）１１（制御手段、省電力手段）、メモリ１２、マウスやキーボード等である操作部１３、表示部１４、ディスクアレイ１５（記憶手段）を構築するＨＤＤ１５−１（記録装置）、１５−２（記録装置）、ディスクアレイ１５を制御するアレイコントローラ１６、外部電源１７（電源供給手段）、バッテリ１８（電源供給手段）、外部電源１７若しくはバッテリ１８から供給される直流電力をＨＤＤ１５−１及び１５−２に供給する電源回路１９（残容量算出手段）から構成される。尚、本実施例では、ディスクアレイ１５が構成するＲＡＩＤのレベルは、ＲＡＩＤ１であるものとする。
【００１５】
ＣＰＵ１１は、ノートＰＣ１０全体の動作を統括制御するために設けられたプロセッサであり、ノートＰＣ１０上で動作する各種プログラムを実行する。また、ＣＰＵ１１は、ここで実行されるプログラムにより、ＲＡＩＤ制御部１１ａとして機能する。
【００１６】
ＲＡＩＤ制御部１１ａは、ＲＡＩＤの制御例えばＲＡＩＤ１のようにミラーリングを使って同一のデータを複数のＨＤＤに書き込む制御を行う。また、リビルド処理や整合性チェックの処理も、ＲＡＩＤ制御部１１ａを介して行う。
【００１７】
図２は、ＲＡＩＤ制御部１１ａの構成を示す図である。図２に示すように、ＲＡＩＤ制御部１１ａには、ＲＡＩＤ制御部１１ａがディスクアレイ１５を制御する、例えばデータの書込みや読込み等の制御を行うためのコマンドを蓄積するコマンド蓄積部１１ａ１が設けられる。このコマンド蓄積部１１ａ１には、レベル１乃至レベル３の優先順位が設けられる。レベル２に蓄積されたコマンドは、レベル１に蓄積されたコマンドが全て実行されてから実行され、レベル３に蓄積されたコマンドは、レベル１及びレベル２に蓄積されたコマンドが全て実行されてから実行される。
【００１８】
再び図１において、メモリ１２は、ＣＰＵ１１とバスを介して接続され、ＣＰＵ１１が実行する基本的なプログラムが格納されるＲＯＭ（Ｒｅａｄ  Ｏｎｌｙ  Ｍｅｍｏｒｙ）及びワークメモリとして使用されるＲＡＭ（Ｒａｎｄｏｍ  Ａｃｃｅｓｓ  Ｍｅｍｏｒｙ）から構成される。操作部１３はマウス及びキーボードであり、ユーザからの各種指示や情報の入力に用いられる。表示部１４は、ＬＣＤ（Ｌｅｑｕｉｄ  Ｃｒｙｓｔａｌ  Ｍｏｎｉｔｏｒ）等のディスプレイであり、ユーザに情報を表示する。操作部１３及び表示部１４は、バスを介してＣＰＵ１１に接続されている。
【００１９】
ディスクアレイ１５は、ＨＤＤ１５−１及び１５−２から構成される。ＣＰＵ１１のＲＡＩＤ制御部１１からアレイコントローラ１６を介してディスクアレイ１５に書き込まれるデータは、ミラーリングにより、ＨＤＤ１５−１及び１５−２に同一のデータが書き込まれる。尚詳しくは後述するが、バッテリ１８使用時にもディスクアレイ１５に対してリビルド処理及び整合性チェックを行うか否かを設定した設定情報１５ａ（設定手段）、ディスクアレイ１５に対して整合性チェックを行う開始時刻１５ｂ、及び電源回路１９に対して電源を供給する電源供給源をバッテリ１８とするピークシフト時間帯１５ｃをＨＤＤ１５−１及び１５−２に格納している。ディスクアレイ１５はミラーリングを行っているので、ＨＤＤ１５−１に格納された設定情報１５ａ、開始時刻１５ｂ及びピークシフト時間帯１５ｃと、ＨＤＤ１５−２に格納された設定情報１５ａ、開始時刻１５ｂ及びピークシフト時間帯１５ｃはそれぞれ同一のデータである。
【００２０】
アレイコントローラ１６は、ＣＰＵ１１とバスを介して接続され、ディスクアレイ１５のインタフェースの役割を果たす。ＲＡＩＤ制御部１１ａから入力されるコマンドに従い、ＨＤＤ１５−１、１５−２に対してデータの書込み及び読み込み制御を行う。
【００２１】
電源回路１９は、ＣＰＵ１１の制御の下、電源を外部電源１７若しくはバッテリ１８のいずれかに切り換え、適当な電圧に変換した後、ＨＤＤ１５−１及びＨＤＤ１５−２に電力を供給する役割を果たす。また、電源回路１９は、バッテリ１８の電圧を計ることにより、バッテリ１８の残容量を調べることができる。尚、図１には図示していないが、電源回路１９は、ＣＰＵ１１や表示部１４等、各部への電源供給も行っている。
【００２２】
次に、リビルド処理を行う際の処理の流れについて説明する。図３は、ディスクアレイ１５に対してリビルド処理を行う際に、ＣＰＵ１１で実行されるプログラムの処理の流れを示す図である。尚、以下の説明では、リビルド処理にかかるコマンドは、コマンド蓄積部１１ａ１のレベル３で処理されるものとする。
【００２３】
ＣＰＵ１１は、まずリビルド処理が必要か否かを判断する（ステップ３０１）。より具体的には、例えばＨＤＤ１５−１が故障して、ユーザにより新しいものに取り替えられた場合や、前回電源切断時にリビルド処理が途中であった場合等にはリビルド処理が必要となる。リビルド処理が必要でない場合には（ステップ３０１のＮｏ）、処理を行わない。
【００２４】
リビルド処理が必要な場合には（ステップ３０１のＹｅｓ）、ＣＰＵ１１は、どこから電源が供給されているかを確認する（ステップ３０２）。具体的には、ＣＰＵ１１は、外部電源１７から電源供給を受けているか、バッテリ１８から電源供給を受けているかを、電源回路１９を介して判断する。外部電源１７から電源供給を受けている場合には（ステップ３０２のＮｏ）、リビルド処理にかかるコマンドの優先順位を「高」とする（ステップ３０３）。コマンドの優先順位を「高」とした場合には、図３に示すように、例えばコマンド蓄積部１１ａ１のレベル３に蓄積されたコマンドの先頭にリビルド処理のコマンドを挿入する。
【００２５】
バッテリ１８から電源供給を受けている場合には（ステップ３０２のＹｅｓ）、ＣＰＵ１１はバッテリ１８使用時にもリビルド処理を行うようにユーザが設定しているか否かを確認する（ステップ３０４）。この設定は、ディスクアレイ１５に格納されている設定情報１５ａを読み込むことで確認できる。ユーザがバッテリ１８使用時にはリビルド処理を行わないように設定情報１５ａを設定している場合には（ステップ３０４のＮｏ）、リビルド処理を行わない。
【００２６】
バッテリ１８使用時にもリビルド処理を行うように設定情報１５ａが設定されている場合には（ステップ３０４のＹｅｓ）、バッテリ１８の残容量を電源回路１９から取得する（ステップ３０５）。さらに、取得したバッテリ１８の残容量が全容量の５０％以上であるか否かを判断し（ステップ３０６）、５０％以上である場合には（ステップ３０６のＮｏ）、リビルド処理にかかるコマンドの優先順位を「中」とする（ステップ３０７）。コマンドの優先順位を「中」とした場合には、図３に示すように、例えばコマンド蓄積部１１ａ１のレベル３に蓄積されたコマンドの内、真ん中にリビルド処理のコマンドを挿入する。
【００２７】
バッテリ１８の残容量が容量の５０％未満である場合には（ステップ３０６のＮｏ）、リビルド処理にかかるコマンドの優先順位を「低」とする（ステップ３０８）。コマンドの優先順位を「低」とした場合には、図３に示すように、例えばコマンド蓄積部１１ａ１のレベル３に蓄積されたコマンドの最後にリビルド処理のコマンドを挿入する。
【００２８】
ステップ３０３、ステップ３０７、及びステップ３０８でリビルド処理のコマンドの優先順位が設定されれば、その優先順位に従ってリビルド処理を行う（ステップ３１０）。このとき、リビルド処理と並行して、ＲＡＩＤ制御部１１ａはユーザが操作部１３から入力する指示等によって、ディスクアレイ１５に対する通常の書込み、読込み制御も行うので、リビルド処理のコマンドの優先順位が低ければ、ユーザからの書込み及び読込み制御にかかるコマンドを多く実行することとなり、リビルド処理の実効レートが下がることになる。
【００２９】
続いて、ディスクアレイ１５に対して整合性チェックを行う際の処理の流れについて説明する。図４は、ディスクアレイ１５に対して整合性チェックを行う際に、ＣＰＵ１１で実行されるプログラムの処理の流れを示す図である。尚、以下の説明においては、整合性チェックのコマンドは、コマンド蓄積部１１ａ１のレベル３において処理されるものとする。
【００３０】
まず、ＣＰＵ１１は、時刻が設定された開始時刻１５ｂであるか否かを判断する（ステップ４０１）。この設定された開始時刻１５ｂは、予めディスクアレイ１５に格納されており、例えば、「第３水曜日１２時」と設定されている。開始時刻１５ｂに達していなければ、開始時刻１５ｂに達するのを待つ。
【００３１】
開始時刻１５ｂになれば、ピークシフト時間帯１５ｃであるか否かを判断する（ステップ４０２）。ピークシフト時間帯１５ｃは、例えば会社で使用される電力消費がある時間帯に集中するのを避ける等の目的のために、外部電源１７を使用せず、バッテリ１８を使用する時間帯である。例えば、「１１時から１３時」のように設定されており、ディスクアレイ１５に予め格納されている。このピークシフト時間帯１５ｃには、ＣＰＵ１１は電源回路１９を制御し、もし電源供給を外部電源１７から受けていれば、これをバッテリ１８に切り換える。
【００３２】
ピークシフト時間帯１５ｃであれば（ステップ４０２のＮｏ）、開始時刻１５ｂを１時間シフトし（ステップ４０３）、開始時刻１５ｂが来るのを待つ（ステップ４０１）。
【００３３】
ピークシフト時間帯１５ｃでなければ（ステップ４０２のＹｅｓ）、ＣＰＵ１１は、どこから電源が供給されているかを確認する（ステップ４０４）。具体的には、ＣＰＵ１１は電源回路１９を介し、外部電源１７から電源供給を受けているか、バッテリ１８から電源供給を受けているかを判断する。外部電源１７から電源供給を受けている場合には（ステップ４０４のＮｏ）、整合性チェックにかかるコマンドの優先順位を「高」に設定する（ステップ４０５）。優先順位を「高」に設定した場合には、コマンド蓄積部１１ａ１のレベル３に蓄積されたコマンドの先頭に整合性チェックのコマンドを挿入する。
【００３４】
バッテリ１８から電源供給を受けている場合には（ステップ４０４のＹｅｓ）、ＣＰＵ１１はバッテリ１８使用時にも整合性チェックを行うようにユーザが設定しているか否かを確認する（ステップ４０６）。この設定は、ディスクアレイ１５に格納されている設定情報１５ａを読み込むことで確認できる。ユーザがバッテリ１８使用時には整合性チェックを行わないように設定している場合には（ステップ４０６のＮｏ）、整合性チェックを行わない。
【００３５】
バッテリ１８使用時にも整合性チェックを行うように設定情報１５ａが設定されている場合には（ステップ４０６のＹｅｓ）、バッテリ１８の残容量を電源回路１９から取得する（ステップ４０７）。さらに、取得したバッテリ１８の残容量が全容量の５０％以上であるか否かを判断し（ステップ４０８）、５０％未満である場合には（ステップ４０８のＮｏ）、整合性チェックにかかるコマンドの優先順位を「中」に設定する（ステップ４０９）。優先順位を「中」に設定した場合には、コマンド蓄積部１１ａ１のレベル３に蓄積されたコマンドの例えば真ん中に整合性チェックのコマンドを挿入する。
【００３６】
バッテリ１８の残容量が全容量の５０％未満である場合には（ステップ４０８のＹｅｓ）、整合性チェックにかかるコマンドの優先順位を「低」に設定する（ステップ４１０）。優先順位を「低」に設定した場合には、コマンド蓄積部１１ａ１のレベル３に蓄積されたコマンドの最後に整合性チェックのコマンドを挿入する。
【００３７】
ステップ４０５、ステップ４０９、及びステップ４１０で整合性チェックのコマンドの優先順位が設定されれば、その優先順位において整合性チェックを行う（ステップ４１１）。このとき、先述のリビルド処理同様、ＲＡＩＤ制御部１１ａはユーザが操作部１３から入力する指示等によって、ディスクアレイ１５に対する通常の書込み、読込み制御も行うので、整合性チェックのコマンドの優先順位が低ければ、ユーザからの書込み及び読み込み制御にかかるコマンドを多く実行することとなり、整合性チェックの実効レートが下がることとなる。
【００３８】
以上説明したように、本実施例によれば、バッテリ１８使用時にはディスクアレイ１５に対してリビルド処理や整合性チェックを行わないように設定できるので、これによりバッテリ１８使用時の消費電力を抑え、動作時間を伸ばすことが可能となる。
【００３９】
また、バッテリ１８使用時にリビルド処理や整合性チェックを行うように設定している場合にも、バッテリ１８の残量を電源回路１９が調べ、その残容量に従ってリビルド処理や整合性チェックの実効レートを下げることができる。この点においても、バッテリ１８使用時の消費電力の低減に貢献している。
【００４０】
本実施例によれば、ピークシフト時間帯１５ｃには外部電源１７を使用せず、バッテリ１８から電源供給を受けることにより、例えば会社などで多数のノートＰＣ１０を使用する場合に、ある特定の時間帯に電力消費が集中することを避けることが可能となる。
【００４１】
ユーザがバッテリ使用時には整合性チェックは行わないと設定していた場合に、整合性チェックを行う開始時刻１５ｂがピークシフト時間帯１５ｃと重なっている場合には整合性チェックが行われない可能性があるが、本実施例では、開始時刻１５ｂをピークシフト時間帯１５ｃからずらすことにより、このような事態を回避することが可能である。
【００４２】
尚、必ずしもディスクアレイ１５に使用するＨＤＤは２台でなくともよく、３台以上であっても良い。また、ディスクアレイ１５が構成するＲＡＩＤも、ＲＡＩＤ１でなくとも、例えば書込み時にデータのパリティを生成してこれらデータ及びパリティを書き込み／読み出し制御等を行うＲＡＩＤ４やＲＡＩＤ５等であっても良い。
【００４３】
また、図５に示すように、ディスクアレイ装置とサーバからなるディスクアレイシステムに適用することも可能である。図５の例では、サーバ５１は、ＣＰＵ１１、メモリ１２、操作部１３、及び表示部１４から構成され、ディスクアレイ装置５２は、ＨＤＤ１５−１及びＨＤＤ１５−２を備えるディスクアレイ１５、アレイコントローラ１６、外部電源１７、バッテリ１８、及び電源回路１９からなる。
【図面の簡単な説明】
【００４４】
【図１】本発明の実施例１に係るノートＰＣの構成を示す図。
【図２】本発明の実施例１に係るノートＰＣのＲＡＩＤ制御部の構成を示す図。
【図３】本発明の実施例１に係るノートＰＣでリビルド処理を行う際のプログラムの処理の流れを示す図。
【図４】本発明の実施例１に係るノートＰＣで整合性チェックを行う際のプログラムの処理の流れを示す図。
【図５】本発明の変形例に係るディスクアレイシステムの構成を示す図。
【符号の説明】
【００４５】
１０・・・ノートＰＣ
１１・・・ＣＰＵ
１１ａ・・・ＲＡＩＤ制御部
１１ａ１・・・コマンド制御部
１２・・・メモリ
１３・・・操作部
１４・・・表示部
１５・・・ディスクアレイ
１５−１、１５−２・・・ＨＤＤ
１５ａ・・・設定情報
１５ｂ・・・開始時刻
１５ｃ・・・ピークシフト時間帯
１６・・・アレイコントローラ
１７・・・外部電源
１８・・・バッテリ
１９・・・電源回路
５１・・・サーバ
５２・・・ディスクアレイ装置
【図１】
2006221335.tif 000003
【図２】
2006221335.tif 000004
【図３】
2006221335.tif 000005
【図４】
2006221335.tif 000006
【図５】
2006221335.tif 000007